(57)【要約】【課題】つま先側が高く踵側が低い履物は、着用して直立したり歩行したりすることによって健康、整体、リハビリ、筋力活性効果が発揮されるが、十分な効果を得るために急な傾斜を形成した履物を突然に履くと、筋肉や腱を傷めたり、バランスを失って転倒する危険があり、傾斜角を調整することができない従来の履物では高齢者やリハビリには利用できなかった。【解決手段】つま先側が高く踵側が高い履物にあって、履物本体と履物本体底面乃至傾斜増加部材の底面に傾斜増加部材を適宜装着することによって、利用者の目的、状況に適した傾斜角で使用することができ、段階的に目標とする効果を得ることができる。【選択図】      図２
2004344434.tif 000002
【特許請求の範囲】
【請求項１】
つま先側が高く踵側が低くなる履物本体と、つま先側が厚く踵側が薄く形成された一乃至数個の傾斜増加部材と、一乃至数個の傾斜増加部材を履物の底面に順次装着する装着手段とを備えたことを特徴とする履物。
【請求項２】
つま先側が高く踵側が低くなる履物であって、本体傾斜部が本体底面の一部分を構成し、つま先側が厚く踵側が薄く形成された一乃至数個の傾斜増加部材が該本体傾斜部底面若しくは傾斜増加部材底面に装着する装着手段を備えたことを特徴とする履物。
【請求項３】
つま先側が高く踵側が低くなる履物本体と、つま先側が薄く踵側が厚く形成された一乃至数個の傾斜減少部材と、一乃至数個の傾斜減少部材を履物の底面に順次装着する装着手段とを備えたことを特徴とする履物。
【請求項４】
履物の底面若しくは傾斜増加部材乃至傾斜減少部材の内部に錘を内在させたことを特徴とする請求項１〜３のいずれかに記載の履物。
【発明の詳細な説明】
【０００１】
【発明の属する技術分野】
本発明は踵側よりもつま先側を高くした履物に関するものである。
【０００２】
【従来の技術】
一般に靴やサンダルなどの履物は履き心地やデザインを基準に形成されているため、つま先側と踵側の高さが等しいか若しくは踵側の方が高くなっている。しかし、踵側が高い履物は足の先端に圧迫を強い、外反母趾の原因となるのみならず、歩行時における不自然な姿勢を招く。歩行中の姿勢が不安定であれば、特定の筋肉にストレスが蓄積され、肩や首のこり、頭痛などをもたらすことになる。
【０００３】
このような症状を改善するために、アキレス腱や腓腹筋を伸張させ、歩行時や直立時に正しい姿勢を保たせることができるものとして、つま先側が踵側よりも高い履物が考案されてきた（例えば特許文献１参照）。
【０００４】
【特許文献１】
実開平２−１３９５０３号公報
【０００５】
【発明が解決しようとする課題】
この履物はつま先側が高く、踵側が低くなるように作られていて、この履物を履いたとき、アキレス腱や腓腹筋を伸張させ、前頚骨筋、腹筋を刺激し、背筋の状態を正常に保つことにより、健康、整体、リハビリ、筋肉活性効果を発揮させることを目指したものである。このような効果を十分に発揮させるためにはつま先側をかなり高くする必要があり、約４０°〜４５°の傾斜にするのが良い。
【０００６】
しかしながら、普段平坦な履物を履いていた人が急な傾斜を形成した履物を突然に履くと無理な筋肉引張による痛みを引き起こすことがあり、足腰の機能の改善を必要とする高齢者や、身体機能やバランスの回復のためのリハビリには利用できない。さらには体のバランスを失って転倒することがあり、思わぬ怪我につながることがわかった。本発明はこのような事情に鑑みてなされたものである。
【０００７】
【課題を解決するための手段】
上記の課題を解決するため、請求項１記載の発明によれば、本発明の履物は、つま先側が高く踵側が低くなる履物本体と、つま先側が厚く踵側が薄く形成された一乃至数個の傾斜増加部材と、一乃至数個の傾斜増加部材を履物の底面に順次装着する装着手段とを備えたことを特徴とする。
【０００８】
さらに本発明の履物は、請求項２記載の発明によれば、つま先側が高く踵側が低くなる履物であって、本体傾斜部が本体底面の一部分を構成し、つま先側が厚く踵側が薄く形成された一乃至数個の傾斜増加部材が該本体傾斜部底面若しくは傾斜増加部材底面に装着する装着手段を備えたことを特徴とする。
【０００９】
さらに本発明の履物は、請求項３記載の発明によれば、つま先側が高く踵側が低くなる履物本体と、つま先側が薄く踵側が厚く形成された一乃至数個の傾斜減少部材と、一乃至数個の傾斜減少部材を履物の底面に順次装着する装着手段とを備えたことを特徴とする。
【００１０】
さらに本発明の履物は、請求項１〜３記載の発明のいずれかにおいて、履物の底面若しくは傾斜増加部材乃至傾斜減少部材の内部に錘を内在させたことを特徴とする。
【００１１】
【作用】
履物本体を一定の期間履くことにより、傾斜した履物の感覚を体に覚えさせ、筋肉の伸張や刺激に慣れることにより、思わぬ転倒や怪我の恐れを減少させる。その後、傾斜増加部材を適時段階的に装着することにより慣れの各段階に合った適切な傾斜角で使用することができるので、継続して無理なく安全に本来目的とする効果が得られる。また、請求項３記載の履物のように、傾斜減少部材を適時段階的に装着し、最終的には全て取り除いて使用することによっても、同じく利用者に合わせた無理のない適切な傾斜角で使用することができる。さらには、請求項４記載の履物のように底面に錘を内在させることによって、履物の重量が増加するので、傾斜した履物を水中で着用し歩行するリハビリに好適である。
【００１２】
【発明の実施の形態】
本発明は履物本体と、履物本体の底面に装着する手段を有する傾斜増加部材又は傾斜減少部材で主体が形成される。履物本体というのは、上面が足首より先の部分を保持し歩行を行う部材であり、つま先が高く、踵が低くなるというのは、履いたときに足裏が地面に対してつま先が高くなるように傾斜する構造である。
【００１３】
傾斜増加部材というのは、履物の底面に対し、つま先側が厚く踵側が薄い形状であり、履物の底面乃至傾斜増加部材に装着することにより履物を履いたときのつま先側と踵側の傾斜を増加させることを目的とする部材である。
【００１４】
傾斜減少部材というのは、履物の底面に対し、つま先側が薄く踵側が厚い形状であり、履物の底面に順次装着することにより、つま先側が高く踵側が低い履物を履いたときのつま先側と踵側の傾斜を減少させ得る部材である。履物の底面というのは、履物本体に一の傾斜増加部材を装着した後他の傾斜増加部材を装着する場合においては一乃至数個の傾斜増加部材を装着した状態の履物の底面をいう。
【００１５】
【発明の実施例】
以下、本発明の実施例について図面を参照しながら説明する。図１は履物本体の側面図である。履物本体１は、足の甲を保持する甲保持部２ａと踵を保持する踵保持部２ｂが備わった上部２と、ソールの役割をも兼ねた本体傾斜部４により構成されており、履いたときに足裏が接触する面である中底３が地面に対して傾斜することにより、つま先側が高く、踵側が低くなる構造である。
【００１６】
この履物を着用し歩行することにより、アキレス腱やふくらはぎの筋肉を引張させ、大腿筋、腹筋に刺激を与え、背筋が伸びた正しい姿勢を保つように促し、健康を増大させたり、リハビリに用いたりすることができる。
【００１７】
上部２は靴形やサンダル形等、形状を問わないが、着用時には快適に歩行でき、容易に脱げてしまうことがないように甲保持部２ａにて十分に保持する構造及び材質が望ましい。また踵保持部２ｂには特に大きな力がかかり、着用時のバランスに影響を与えることに加え、本発明の実施の形態にかかり傾斜を増加させた場合には着用者の踵の当たり方が変化するので、確実に踵を押さえることができる形状と材質であることが望ましい。
【００１８】
本体傾斜部４には５０ｋｇｆの荷重に対して２％〜５％収縮する衝撃吸収性を持たせておけば、歩行時に快適であると同時に、不測の力が働いたときにより安全である。本体傾斜部４によって形成される傾斜角は、着用者が踵側よりつま先側が高い履物を着用することに感覚的に慣れさせることが主たる目的であるので、無理のない程度に設定するのが望ましい。好ましくは１０°〜１５°とする。１０°以下であれば十分な傾斜感覚が得にくく、１５°以上だと初期着用時に不安定さを覚える場合があるからである。
【００１９】
図２は傾斜増加部材６を装着した履物全体の側面図である。傾斜増加部材６は本体底面５に装着する接着手段を有しており、この接着手段が使用中に脱落してしまうことがない強固な装着手段を構成する。傾斜増加部材６は本体に装着したとき、履物全体の底面に対し、つま先部６ａが厚く、踵部６ｂが薄い構成をなしている。
【００２０】
このように、まず履物本体の傾斜に慣れた後に傾斜増加部材６を装着することにより、踵側とつま先側の高低差を増加させることができるが、利用者に無理のない傾斜角としては５°〜１０°が好ましい。また、歩行時における快適さと安全性を確保するために、傾斜増加部材６は傾斜部材４と同様に、５０ｋｇｆの荷重に対して２％〜５％収縮する程度の衝撃吸収性を備えていることが望ましい。
【００２１】
図３は傾斜増加部材８を装着した履物全体の側面図である。傾斜増加部材８は傾斜増加部材底面７に装着する手段を有しているが、このように傾斜増加部材を随時装着していくことにより、中底３の傾斜が徐々に急になるので、利用者に合わせて無理なく安全に、目標とする傾斜角度に達することができる。
【００２２】
図４は他の実施例であって、傾斜部２４と踵部材１０とが分離している。図５は傾斜増加部材２６を装着したときの側面図であるが、このように段階的に傾斜増加部材を装着することにより、履いたときに足裏が接する中底３の踵部分とつま先部分の高低差を順次増加させることが可能である。この場合には傾斜が変化しても履物全体のバランスが保たれるように、踵部材１０の接地面側には適度な丸みを持たせておくと良い。１２は、傾斜増加部材２６を本体傾斜部２４の凹部１１に装着する凸部であって、この凸部と凹部とによって、装着手段を構成している。
【００２３】
このような形態であれば履物全体の重量を減らすことができるので歩行も楽であるし、携帯用として持ち運びが容易であるので、より手軽に着用することができ、日常で継続的に使用し易くなる。さらに、接地面積が減少することにより、凹凸の存在する地面においても安定した着用が可能となり、着用、歩行時の安全性を増加させることが可能である。
【００２４】
請求項３の実施例は、図６、図７、図８に示すように、つま先側が高く踵側が低くなっている履物の本体底面５に、あらかじめ傾斜減少部材３６ａ、３６ｂを取り付けておき、後日取り外すことによって、中底３の傾斜を最初は緩く、後日に急になるように変化させるものである。図６は本体底面５に傾斜減少部材３６ａを装着した履物の側面図であるが、本体底面５の凹部１１に傾斜減少部材３６ａの凸部１２を嵌合させることによる装着手段を構成している。図７は傾斜減少部材３６ｂを装着した履物の側面図であるが、傾斜減少部材３６ａにおける踵側の高さより、傾斜減少部材３６ｂにおける踵側の高さの方が低く形成されていることにより、中底３の踵側とつま先側の高低差を増加させることができるのである。図８は傾斜減少部材を装着していない履物の側面図であり、この履物において最も急傾角となる傾斜角度を構成する。このように、踵側とつま先側との高低差が異なる複数の傾斜減少部材を用意し、それらを順次交換し、最終的には傾斜減少部材を全く装着せずに利用することにより、徐々に中底３の傾斜角度を増加させることができる。
【００２５】
請求項４の実施例は、図９に示すように、つま先側が高く踵側が低くなっている履物の底面５に、錘４０を内在させるものである。ここで錘４０を内在させる部材は、本体底面５のほか、傾斜増加部材６、８、２６等や、傾斜減少部材３６ａ、３６ｂ等でも構わない。このように履物全体の重量を増加させることによって、水中を歩行するリハビリにおいて本履物を利用することが可能である。
【００２６】
【発明の効果】
本発明によれば、つま先側が高く、踵側が低くなる履物にあって、利用者が安全に着用に慣れつつ傾斜増加部材を適時装着していくことにより、段階的に傾斜を増加させ、最終的に十分な傾斜を得ることができる。このようにして利用者の体力や状況に応じて、健康、体力増進、整体、筋力活性化、美容の効果を確実に高めていくことができる。また、転倒や筋肉を傷める恐れがなく安全に使用できるので、高齢者やリハビリにも利用価値が高いものである。また、請求項２の傾斜増加部材の形態においては履物本体の軽量化となり、接地面積の減少により突起の存在する地面において安定して着用し歩行することができるので、より日常的かつ安全な利用を図ることができる。さらに、請求項３記載の発明は、請求項１記載の履物と同じく利用者の段階に応じて傾斜を増加させることが可能であるとともに、傾斜減少部材を取り除くことによって中底の傾斜を増加させ、傾斜が最も増加して体勢が不安定になり易い状態で傾斜減少部材を全て取り除いて使用するので、履物本体に他の部材を装着することによる不安定性がなくなる。また、請求項４記載の発明によれば、水中でのリハビリにおいて快適に使用することができる。
【図面の簡単な説明】
【図１】本発明の請求項１の実施の形態にかかる履物本体の側面図である。
【図２】履物本体に傾斜増加部材を装着した側面図である。
【図３】履物本体に傾斜増加部材をさらに装着した側面図である。
【図４】本発明の請求項２の実施例にかかる履物全体の側面図である。
【図５】履物本体に傾斜増加部材を装着した側面図である。
【図６】本発明の請求項３の実施例にかかる履物全体の側面図である。
【図７】履物本体の側面図である。
【図８】傾斜減少部材を装着していない履物本体の側面図である。
【図９】錘を本体底面に内在させた履物本体の側面図である。
【符号の説明】
１  履物本体
２  上部
２ａ    甲保持部
２ｂ    踵保持部
３  中底
４  本体傾斜部
５  本体底面
６  傾斜増加部材
６ａ    傾斜増加部材つま先部
６ｂ    傾斜増加部材踵部
７  傾斜増加部材底面
８  傾斜増加部材
９  傾斜増加部材底面
１０  踵部材
１１  凹部
１２  凸部
２４  本体傾斜部
２６  傾斜増加部材
３６ａ    傾斜減少部材
３６ｂ    傾斜減少部材
４１  錘
【図１】
2004344434.tif 000003
【図２】
2004344434.tif 000004
【図３】
2004344434.tif 000005
【図４】
2004344434.tif 000006
【図５】
2004344434.tif 000007
【図６】
2004344434.tif 000008
【図７】
2004344434.tif 000009
【図８】
2004344434.tif 000010
【図９】
2004344434.tif 000011